(57)【要約】      （修正有）【課題】構造が単純であるため扱いやすく、手軽に所望の味の飲料を淹れることができる飲料用ドリッパーを提供する。【解決手段】被抽出物からの抽出液を液体と固体に分離して飲料を作るための飲料用ドリッパー１において、抽出液を排出する排出孔１３を設けた、抽出液を貯溜する容器１１と、容器内に挿入可能で、被抽出物を収容し、抽出液を濾過して抽出後の被抽出物を保持するように壁面の一部にフィルター１５を設けたフィルター部１２と、を備え、フィルター部は、容器の排出孔を開閉自在に塞ぐ止水部１６を備えている。【選択図】図１
0003220482.tif 000002
【実用新案登録請求の範囲】
【請求項１】
被抽出物からの抽出液を液体と固体に分離して飲料を作るための飲料用ドリッパーにおいて、
前記抽出液を排出する排出孔を設けた、前記抽出液を貯溜する容器と、
前記容器内に挿入可能で、前記被抽出物を収容し、前記抽出液を濾過して抽出後の前記被抽出物を保持するように壁面の一部にフィルターを設けたフィルター部と、
を備え、
前記フィルター部は、前記容器の前記排出孔を開閉自在に塞ぐ止水部を備えていることを特徴とする飲料用ドリッパー。
【請求項２】
前記フィルター部の前記止水部は、前記容器の前記排出孔を密封するように突起状に形成されていることを特徴とする請求項１に記載の飲料用ドリッパー。
【請求項３】
前記フィルター部は、前記容器の上部周縁に係止するアームを備えていることを特徴とする請求項１または２に記載の飲料用ドリッパー。
【請求項４】
前記容器は、前記容器の前記上部周縁に上段および下段からなる段差状に形成された段部を備え、前記フィルター部の前記アームが前記段部の前記下段に係止されている場合には前記容器の前記排出孔を密封し、前記フィルター部の前記アームが前記段部の前記上段に係止されている場合には前記容器の前記排出孔を開放することを特徴とする請求項３に記載の飲料用ドリッパー。
【考案の詳細な説明】
【技術分野】
【０００１】
本考案は、茶、コーヒー等の被抽出物から成分を抽出し、抽出液を液体と固体に分離して飲料を作るための飲料用ドリッパーに関する。
【背景技術】
【０００２】
近年、リーフ茶（茶葉から淹れる緑茶）の消費量は減少している。しかし、その一方で、ペットボトル、缶、紙パック等の緑茶飲料が普及し、消費量が増加している。急須を使って茶葉から淹れるのは手間が掛かるため、ペットボトル等の簡便な形態の飲料にシフトしているのである。また、緑茶に限らず、紅茶やウーロン茶などに加えてコーヒー等の他の飲料でも、茶葉や粉末から自ら抽出して飲む機会は減少している。
【０００３】
そこで、従来より、簡単に美味しい飲料を淹れることを目的として、いろいろなティーメーカーやドリッパーが提案されている。例えば、特許文献１の紅茶用ドリッパーは、濾過部に連通する抽出口を開閉可能とするために、濾過部下方に抽出口が開口する小円筒部を設け、基板の上面側に小円筒部に螺合可能で、かつ、その上面部に抽出口を閉塞可能な閉塞子を設けることを特徴としている。
【０００４】
また、特許文献２のティーメーカーは、カラフ、抽出バスケット及びカラフのハンドル上に着脱自在に取り付けられヒンジ式に開閉可能な蓋より構成され、バスケットの一側周縁には挟持部材が設けられ、押し棒が穿設され、押し棒の底端はバスケット内底部に固着されたろ網内に固定され、並びに一端に止水球が結合してあるてこ棒と抵触し、てこ棒はバスケット内底面より突出する小リブ上に支持され、押し棒を押すことで、小リブを支点としててこ棒がてこ運動を行い、止水球がバスケットの底部の出水孔より上昇し、バスケット内の茶湯の放出がなされ、押し棒を開放することで止水球は再び出水孔を塞ぐことを特徴としている。
【先行技術文献】
【特許文献】
【０００５】
【特許文献１】実開昭５３−１３９８８号公報
【特許文献２】実用新案登録第３０３０６２５号公報
【考案の概要】
【考案が解決しようとする課題】
【０００６】
しかしながら、従来の飲料用ドリッパーは、複数の構成からなり構造が複雑で、細部まで洗浄しにくく、手軽に日常的に使用できないという問題があった。
【０００７】
本考案は、このような事情に鑑みてなされたもので、構造が単純であるため扱いやすく、手軽に所望の味の飲料を淹れることができる飲料用ドリッパーを提供することを目的とする。
【課題を解決するための手段】
【０００８】
請求項１記載の飲料用ドリッパーは、抽出液を排出する排出孔を設けた、抽出液を貯溜する容器と、容器内に挿入可能で、被抽出物を収容し、抽出液を濾過して抽出後の被抽出物を保持するように壁面の一部にフィルターを設けたフィルター部と、を備え、フィルター部は、容器の排出孔を開閉自在に塞ぐ止水部を備えていることを特徴とする。
【０００９】
請求項２記載の飲料用ドリッパーは、フィルター部の止水部が、容器の排出孔を密封するように突起状に形成されていることを特徴とする。
【００１０】
請求項３記載の飲料用ドリッパーは、フィルター部が、容器の上部周縁に係止するアームを備えていることを特徴とする。
【００１１】
請求項４記載の飲料用ドリッパーは、容器が、容器の上部周縁に上段および下段からなる段差状に形成された段部を備え、フィルター部のアームが段部の下段に係止されている場合には容器の排出孔を密封し、フィルター部のアームが段部の上段に係止されている場合には容器の排出孔を開放することを特徴とする。
【考案の効果】
【００１２】
本願考案の飲料用ドリッパーによれば、構造が単純であるため扱いやすく、手軽に所望の味の飲料を淹れることができる。
【図面の簡単な説明】
【００１３】
【図１】本考案に係る飲料用ドリッパーの第１の実施例を示す説明図である。
【図２】同第１の実施例の容器１１を示す説明図である。
【図３】同第１の実施例の使用例を説明するための説明図である。
【図４】本考案に係る飲料用ドリッパーの第２の実施例を示す説明図である。
【考案を実施するための形態】
【００１４】
以下、本考案の形態について図面を参照しながら具体的に説明する。図１は、本考案に係る飲料用ドリッパーの第１の実施例を示す説明図であり、（ａ）は斜視図、（ｂ）は排出孔を止水部で塞いだ状態の断面図、（ｃ）は排出孔を開放した状態の断面図である。図２は、同第１の実施例の容器１１を示す説明図である。図３は、同第１の実施例の使用例を説明するための説明図である。図４は、本考案に係る飲料用ドリッパーの第２の実施例を示す説明図であり、（ａ）は斜視図、（ｂ）は排出孔を止水部で塞いだ状態の断面図、（ｃ）は排出孔を開放した状態の断面図である。
【００１５】
本考案に係る飲料用ドリッパー１は、被抽出物を抽出のための液体により抽出して得られた抽出液を、液体と固体に分離して飲料を作るためのものである。尚、被抽出物としては、緑茶、紅茶、ウーロン茶やジャスミン茶等の中国茶等の茶葉、ハーブティー用の植物の葉、花、茎等、焙煎大麦、焙煎されたコーヒー豆等を粉砕した粉末等が挙げられる。また、本考案に係る飲料用ドリッパー１は、鰹節等の削り節、昆布、煮干し、椎茸等の調味料、漢方薬等の抽出にも使用可能である。また、被抽出物から成分を抽出する抽出のための液体としては、湯、水、エタノール水溶液等が挙げられる。
【００１６】
図１（ａ）〜（ｃ）に示すように、飲料用ドリッパー１は、容器１１と、容器１１内に挿入可能なフィルター部１２を備えている。容器１１は、抽出液を貯溜するためのものであり、抽出液を排出する排出孔１３を設けている。また、容器１１には、排出孔１３から排出された抽出液の飛び散りを防止するために、排出孔１３に連通する管状等の排出路１４を設けてもよい。
【００１７】
フィルター部１２は、被抽出物（不図示）を収容し、抽出液を濾過して抽出後の被抽出物を保持するためのものであり、壁面の一部にフィルター１５を設けている。フィルター部１２が容器１１内に挿入され、かつ、被抽出物がフィルター部１２内に収容された状態で、被抽出物は抽出のための液体により抽出される。抽出工程終了後、液体と固体を分離するために、抽出液をフィルター１５で濾過して、抽出後の被抽出物である抽出残渣をフィルター部１２内に保持することができる。そして、フィルター部１２を容器１１から取り出し、簡単に抽出残渣を捨てることができる。
【００１８】
また、フィルター部１２は、容器１１の排出孔１３を開閉自在に塞ぐ止水部１６を備えている。フィルター部１２を容器１１内に挿入する際に、フィルター部１２の止水部１６で容器１１の排出孔１３を塞ぐように配置する。このため、フィルター部１２に収容された被抽出物を抽出のための液体で抽出している間、抽出液を排出孔１３から排出することなく容器１１内に貯留しておくことができる。抽出工程終了後、フィター部１２を移動させて、止水部１６による排出孔１３の閉塞を開放することにより、排出孔１３から抽出液を排出することができる。
【００１９】
このような構成の飲料用ドリッパー１によれば、容器１１内にフィルター部１２を挿入し、フィルター部１２の止水部１６で容器１１の排出孔１３を開閉するという単純な構造であるため、洗浄等の手入れが簡単で扱いやすく、かつ、抽出時間を自在に調節して、手軽に所望の味の飲料を淹れることができる。
【００２０】
さらに、飲料用ドリッパー１は、図１（ｂ）に示すように、容器１１の内側面にガイド凹部１９ａを、フィルター部１２の外側面にガイド凸部１９ｂを設けてもよい。または、ガイド凹部１９ａとガイド凸部１９ｂの配置は逆でもよい。これらが互いに嵌合することにより、フィルター部１２を容器１１内に挿入する際に、容易かつ確実に排出孔１３を止水部１６で塞ぐことができるように案内することができる。
【００２１】
尚、飲料用ドリッパー１の容器１１およびフィルター部１２の形状、フィルター１５の配置、排出孔１３と止水部１６の位置等は、図１および本考案の第２の実施例を表す図４に示すものに限定されるものではなく任意である。
【００２２】
また、フィルター部１２の止水部１６は、排出孔１３を開閉自在に塞ぐことが可能であれば、半球状、球状、円筒状、円柱状、角柱状等、その形状は任意であるが、容器１１の排出孔１３を密封するように突起状に形成されていることが好ましい。図１（ｂ）に示すように、突起状の止水部１６と排出孔１３が嵌合して止水部１６で排出孔１３を塞ぐことにより、排出孔１３を容易かつ確実に密封することができるため、容器１１内の抽出液を漏らさず貯溜することができる。そして、抽出工程終了後、図１（ｃ）に示すように、フィルター部１２を移動させることにより、止水部１６と排出孔１３との嵌合を外して排出孔１３を容易に開放することができる。
【００２３】
また、フィルター部１２は、容器１１の上部周縁に係止するアーム１７を備えていることが好ましい。使用者がアーム１７を把持することにより、フィルター部１２の容器１１内への挿入、抽出液の排出、容器１１からのフィルター部１２の取り出しを容易に行うことができる。尚、アーム１７の形状は、棒状、Ｕ字状、Ｌ字状、くの字状等が考えられるがこれらに限定されるものではなく任意である。
【００２４】
さらに、容器１１は、図２に示すように、容器１１の上部周縁に上段１８ａおよび下段１８ｂからなる段差状に形成された段部１８を備えていることが好ましい。フィルター部１２のアーム１７が図１（ｂ）のように段部１８の下段１８ｂに係止されている場合には、容器１１の排出孔１３を止水部１６で密封することができる。また、フィルター部１２のアーム１７が図１（ｃ）のように段部１８の上段１８ａに係止されている場合には、容器１１の排出孔１３を開放することができる。このため、フィルター部１２のアーム１７を段部１８の上段１８ａに係止するか下段１８ｂに係止するかにより、容易かつ確実に排出孔１３を開閉することができる。また、段部１８の下段１８ｂに係止した場合、アーム１７が容器１１の段部１８の段差に周方向に係止されるため、フィルター部１２の止水部１６によって排出孔１３をより確実に密封することができる。
【００２５】
尚、図２では、段部１８を備えた容器１１の上部周縁は、一部が段部１８の上段１８ａから下段１８ｂに向かって傾斜している。しかし、段部１８の形状は、アーム１７を収容可能な幅の下段１８ｂを有する凹部状、上段１８ａから下段１８ｂに向かって上部周縁の略全周にわたる傾斜状等が考えられるが、これらに限定されるものではなく任意である。
【００２６】
次に、本実施の形態における飲料用ドリッパー１の動作の一例を説明する。図３に示すように、スタンド３１の上部に容器１１を載置して、容器１１の排出孔１３または排出路１４の下方に抽出液を受ける湯飲み茶碗、カップ、コーヒーサーバー、ティーポット等の受容器３２を配置する。ただし、飲料用ドリッパー１を受容器３２の上に安定して配置することが可能であれば、スタンド３１のような器具を用いなくてもよい。容器１１の外側下部に鍔部を備えた場合には、飲料用ドリッパー１を受容器３２の上に直接配置することができる。
【００２７】
図１（ａ）に示すように、被抽出物（不図示）、例えば、茶葉を収容したフィルター部１２を容器１１内に挿入する。このとき、容器１１の排出孔１３をフィルター部１２の止水部１６で塞いでおく。図１（ｂ）に示すように、止水部１６が突起状である場合には、突起状の止水部１６と排出孔１３を嵌合させて、排出孔１３を密封する。容器１１とフィルター部１２がそれぞれガイド凹部１９ａとガイド凸部１９ｂを備えている場合には、これらを嵌合させて、止水部１６で排出孔１３を塞ぐように案内する。また、フィルター部１２がアーム１７を備えている場合には、容器１１の上部周縁に係止させ、さらに、容器１１の上部周縁に上段１８ａおよび下段１８ｂからなる段部１８が設けられている場合には、段部１８の下段１８ｂにフィルター部１２のアーム１７を係止する。これらにより、排出孔１３を止水部１６で確実に塞いで、抽出工程中に抽出液が排出孔１３から漏れないようにする。
尚、被抽出物は、フィルター部１２を容器１１内に挿入後、または、次の工程である抽出のための液体注入後に、フィルター部１２内に投入してもよい。
【００２８】
そして、フィルター部１２が挿入されて排出孔１３が塞がれた状態の容器１１の上部から抽出のための液体（不図示）、例えば、お湯を注ぎ入れ、抽出のための液体中に被抽出物を浸漬させて、一定時間抽出を行う。抽出時間は、被抽出物・抽出のための液体の種類、抽出する被抽出物・抽出のための液体の量、所望の抽出液濃度等により任意である。また、抽出工程中、蓋等を用いて容器１１の上部開口を塞いでもよい。
【００２９】
抽出工程が終了したら、フィルター部１２を少し持ち上げる等してフィルター部１２の止水部１６の位置を容器１１の排出孔１３からずらす、または、フィルター部１２を容器１１から取り出す等して、フィルター部１２を移動させる。フィルター部１２にアーム１７が設けられ、容器１１の上部周縁に上段１８ａおよび下段１８ｂからなる段部１８が設けられている場合には、図１（ｃ）に示すように、段部１８の上段１８ａにフィルター部１２のアーム１７を係止する。これにより、フィルター部１２の止水部１６によって閉塞されていた容器１１の排出孔１３が開放され、排出孔１３または排出路１４から矢印の方向に抽出液を排出し、下方に配置した受容器３２で抽出液を受ける。そして、所望の味の美味しい飲料を飲むことができる。
【００３０】
その後、容器１１から取り出したフィルター部１２内に保持されている茶殻、コーヒーかす等の抽出残渣を捨て、容器１１とフィルター部１２の洗浄を行う。飲料用ドリッパー１は、容器１１もフィルター部１２も構造が単純であるため、洗浄が簡単で、かつ、清潔に保つことができて扱いやすい。また、容器１１の排出孔１３をフィルター部１２の止水部１６で塞ぎ、その開閉により自在に抽出時間を調節できるため、手軽に自分好みのおいしい飲料、つまり、所望の味の飲料を簡単に淹れることができる。
【００３１】
また、第２の実施例である飲料用ドリッパー２を用いた場合も同様に、図４（ａ）、（ｂ）に示すように、共に略逆三角錐状の容器２１にフィルター部２２を挿入して、容器２１の排出孔２３をフィルター部２２の止水部２６で塞ぎ、被抽出物（不図示）を抽出のための液体（不図示）で抽出する。抽出工程終了後、図４（ｃ）に示すように、フィルター部２２を持ち上げて排出孔２３を開放して、矢印の方向に抽出液を排出する。
【００３２】
以上のような構造の本実施の形態に係る飲料用ドリッパー１、２によれば、構造が単純であるため扱いやすく、手軽に所望の味の飲料を淹れることができる。
【００３３】
本考案は、本考案の広義の精神と範囲を逸脱することなく、様々な実施の形態及び変形が可能とされるものである。また、上述した実施の形態は、この考案を説明するためのものであり、本考案の範囲を限定するものではない。すなわち、本考案の範囲は、実施の形態ではなく、実用新案登録請求の範囲によって示される。そして、実用新案登録請求の範囲内及びそれと同等の考案の意義の範囲内で施される様々な変形が、この考案の範囲内とみなされる。
【産業上の利用可能性】
【００３４】
本考案により、構造が単純であるため扱いやすく、手軽に所望の味の飲料を淹れることができる飲料用ドリッパーを提供することができる。
【符号の説明】
【００３５】
１・・・・・飲料用ドリッパー
２・・・・・飲料用ドリッパー
１１・・・・容器
１２・・・・フィルター部
１３・・・・排出孔
１４・・・・排出路
１５・・・・フィルター
１６・・・・止水部
１７・・・・アーム
１８・・・・段部
１８ａ・・・上段
１８ｂ・・・下段
１９ａ・・・ガイド凹部
１９ｂ・・・ガイド凸部
２１・・・・容器
２２・・・・フィルター部
２３・・・・排出孔
２４・・・・排出路
２５・・・・フィルター
２６・・・・止水部
２７・・・・アーム
３１・・・・スタンド
３２・・・・受容器
【図１】
0003220482.tif 000003
【図２】
0003220482.tif 000004
【図３】
0003220482.tif 000005
【図４】
0003220482.tif 000006